(57)【要約】【課題】連続撮像の最中に、露光量が適正露光量からずれるのを防止することができる、撮影者にとって使い勝手の良いデジタル一眼レフカメラを提供する。【解決手段】被写体像を撮像する撮像手段２７と、表示手段８と、可動ミラー２４をミラーアップ位置に移動させたまま撮像手段２７による撮像動作、および表示手段８による画像表示動作を繰り返す連続撮像制御手段４１と、撮像された電子画像の特定領域の平均的な輝度値を検出する輝度検出手段と、該輝度検出手段によって検出された連続撮像開始直後の最初の輝度値と連続撮像動作中の最新の輝度値とを比較し、最新の輝度値が最初の輝度値よりも変化しているか否かを判定する比較手段４１と、比較手段４１によって、変化が判定された場合に、続けて行われる撮像動作の露光量を補正する補正手段４１とを具備することを特徴とする。【選択図】  図２
2005024857.tif 000002
【特許請求の範囲】
【請求項１】
被写体像を撮像し、デジタル画像データに変換する撮像手段と、
被写体を測光する測光手段と、
上記測光手段の出力に基づいて、上記撮像手段による撮像動作の際の露光量を演算する演算手段と、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記撮像手段で変換されたデジタル画像データを表示するための表示素子を含み、該表示素子に表示された像が上記ファインダ光学系の観察光路の一部を共用して観察可能となるように配置された表示手段と、
上記可動ミラーを上記第２の位置に移動させたまま上記撮像手段による撮像動作、および上記表示手段による画像表示動作を繰り返す連続撮像動作を実行する連続撮像制御手段と、
上記撮像手段で撮像された電子画像の輝度レベルを検出する輝度検出手段と、上記輝度検出手段によって検出された、連続撮像開始直後の最初の輝度値と、連続撮像動作中の最新の輝度値とを比較し、上記最新の輝度値が上記最初の輝度値よりも変化しているか否かを判定する比較手段と、
上記比較手段によって、上記最新の輝度値が上記最初の輝度値よりも変化していると判定された場合に、続けて行われる上記撮像手段による撮像動作の露光量を補正する補正手段と、
を具備することを特徴とするデジタル一眼レフカメラ。
【請求項２】
被写体像を撮像し、デジタル画像データに変換する撮像手段と、
被写体を測光する測光手段と、
上記測光手段の出力に基づいて、上記撮像手段による撮像動作の際の露光量を演算する演算手段と、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記撮像手段で変換されたデジタル画像データを表示するための表示素子を含み、該表示素子に表示された像が上記ファインダ光学系の観察光路の一部を共用して観察可能となるように配置された表示手段と、
上記可動ミラーを上記第２の位置に移動させたまま上記撮像手段による撮像動作、および上記表示手段による画像表示動作を繰り返す連続撮像動作を実行する連続撮像制御手段と、
上記撮像手段で撮像された電子画像における特定領域の平均的な輝度値を検出する輝度検出手段と、
上記輝度検出手段によって検出された、連続撮像開始直後の最初の輝度値と、連続撮像動作中の最新の輝度値とを比較し、上記最新の輝度値が上記最初の輝度値よりも適正露光範囲となる値以上に変化しているか否かを判定する比較手段と、
上記比較手段によって、上記最新の輝度値が上記最初の輝度値よりも適正露光範囲となる値以上に変化していると判定された場合に、続けて行われる上記撮像手段による撮像動作の露光量を補正する補正手段と、
を具備することを特徴とするデジタル一眼レフカメラ。
【請求項３】
オートフォーカス装置をさらに具備し、上記電子画像における特定領域が、上記オートフォーカス装置の測距範囲と一致するようにしたことを特徴とする請求項１または２に記載のデジタル一眼レフカメラ。
【請求項４】
上記輝度検出手段は、上記電子画像における特定領域内の画素からの出力レベルを平均して出力することを特徴とする請求項１または２に記載のデジタル一眼レフカメラ。
【請求項５】
上記補正手段は、設定された撮影モードに応じて、シャッタスピード、および／または絞りの値を変更することを特徴とする請求項１または２に記載のデジタル一眼レフカメラ。
【請求項６】
被写体像を撮像し、デジタル画像データに変換する撮像手段と、
被写体を測光する測光手段と、
上記測光手段の出力に基づいて、上記撮像手段による撮像動作の際の露光量を演算する演算手段と、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記撮像手段で変換されたデジタル画像データを表示するための表示素子を含み、該表示素子に表示された像が上記ファインダ光学系の観察光路の一部を共用して観察可能となるように配置された表示手段と、
上記可動ミラーを上記第２の位置に移動させたまま上記撮像手段による撮像動作、および上記表示手段による画像表示動作を繰り返す連続撮像動作を実行する連続撮像制御手段と、
上記撮像手段で撮像された電子画像の一部、または全部における輝度レベルを検出する輝度検出手段と、
上記連続撮像動作中において、上記輝度検出手段の出力に応じて、続いて行われる撮像動作における露光量を補正する補正手段と、
を具備することを特徴とするデジタル一眼レフカメラ。
【請求項７】
被写体像を撮像し、デジタル画像データに変換する撮像手段と、
被写体を測光する測光手段と、
上記測光手段の出力に基づいて、上記撮像手段による撮像動作の際の露光量を演算する演算手段と、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記撮像手段で変換されたデジタル画像データを表示するための表示素子を含み、該表示素子に表示された像が上記ファインダ光学系の観察光路の一部を共用して観察可能となるように配置された表示手段と、
上記可動ミラーを上記第２の位置に移動させたまま上記撮像手段による撮像動作、および上記表示手段による画像表示動作を繰り返す連続撮像動作を実行する連続撮像制御手段と、
上記連続撮像動作中において、上記撮像手段で撮像された最初の電子画像と最新の電子画像を比較し、両者の輝度レベルが異なっていた場合には、続いて行われる撮像動作における露光量を補正する補正手段と、
を具備することを特徴とするデジタル一眼レフカメラ。
【発明の詳細な説明】
【０００１】
【発明の属する技術分野】
本発明は、デジタル一眼レフカメラ、詳しくは、ファインダ光学系を用いて被写体を観察し、固体撮像素子を用いて被写体像を撮像するデジタル一眼レフカメラに関する。
【０００２】
【従来の技術】
周知のように、銀塩フィルムを用いる一眼レフカメラのファインダ装置は、光学被写体像を観察する、ペンタプリズムやポロプリズム等の光学部材を用いて構成された光学式ファインダが一般的であるが、デジタル式の一眼レフカメラのファインダ装置は、光学式ファインダ装置にさらに表示素子を配設して、該表示素子に撮像素子の出力を表示し、電子被写体像をファインダから観察する、所謂電子ビューファインダとして構成することも可能である。また、このような電子ビューファインダの状態と光学式ファインダの状態とを任意に切り換えることのできるファインダ装置も知られるところである。
【０００３】
ところで、光学式ファインダと電子ビューファインダとを共用するデジタル一眼レフカメラにおいては、連続撮像（連写）動作を高速化することができる利点がある。
【０００４】
本出願人は、このような利点に鑑みて、連写動作の開始に伴って光学ファインダの可動ミラーを撮像光路から待避させたままとし、その際、撮像した電子画像を光学式ファインダによる光学被写体像に代えて電子ビューファインダにて電子被写体像を観察するようにした、光学式ファインダと電子ビューファインダを共用したファインダ装置を特許文献１に提案している。
【０００５】
このようにファインダ装置を構成すれば、連写の際に可動ミラーをアップダウンさせる必要がなくなるので、高速動作する可動ミラーによる騒音や振動を抑制でき、かつ連写速度を高速化することができるという多大な利点がある。
【０００６】
【特許文献１】
特願２００２−６５０２号公報
【０００７】
【発明が解決しようとする課題】
ところで、連写速度を高速化するためには、１回の撮像の都度、測光動作およびその測光結果に基づく、露光量演算並びに露光量制御を実行するわけにはいかないので、連写中は、連写開始前に測光した露光量にシャッタおよび絞りを固定しておくことが一般的である。
【０００８】
しかしながら、連写動作においては被写体が移動することが多く、連写中に被写体が移動してしまうと、被写体輝度も変化する場合が多く、連写開始前に設定した露光量のまま連写を行うと、該連写が長引くほど露光オーバまたは露光アンダの写真が撮像されてしまう虞があり、撮影者にとって連写動作の問題点となっている。また、このことは、上記特許文献１では、何ら考慮がなされていない。
【０００９】
本発明は、上記問題点に鑑みてなされたものであり、その目的は、連続撮像の最中に露光量が適正露光量からずれるのを防止することができる、撮影者にとって使い勝手の良いデジタル一眼レフカメラを提供するにある。
【００１０】
【課題を解決するための手段、及び作用】
上記の目的を達成するために本発明によるデジタル一眼レフカメラは、被写体像を撮像し、デジタル画像データに変換する撮像手段と、被写体を測光する測光手段と、上記測光手段の出力に基づいて、上記撮像手段による撮像動作の際の露光量を演算する演算手段と、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記撮像手段で変換されたデジタル画像データを表示するための表示素子を含み、該表示素子に表示された像が上記ファインダ光学系の観察光路の一部を共用して観察可能となるように配置された表示手段と、上記可動ミラーを上記第２の位置に移動させたまま上記撮像手段による撮像動作、および上記表示手段による画像表示動作を繰り返す連続撮像動作を実行する連続撮像制御手段と、上記撮像手段で撮像された電子画像の輝度レベルを検出する輝度検出手段と、上記輝度検出手段によって検出された、連続撮像開始直後の最初の輝度値と、連続撮像動作中の最新の輝度値とを比較し、上記最新の輝度値が上記最初の輝度値よりも変化しているか否かを判定する比較手段と、上記比較手段によって、上記最新の輝度値が上記最初の輝度値よりも変化していると判定された場合に、続けて行われる上記撮像手段による撮像動作の露光量を補正する補正手段と、を具備することを特徴とする。
【００１１】
また、本発明によるデジタル一眼レフカメラは、被写体像を撮像し、デジタル画像データに変換する撮像手段と、被写体を測光する測光手段と、上記測光手段の出力に基づいて、上記撮像手段による撮像動作の際の露光量を演算する演算手段と、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記撮像手段で変換されたデジタル画像データを表示するための表示素子を含み、該表示素子に表示された像が上記ファインダ光学系の観察光路の一部を共用して観察可能となるように配置された表示手段と、上記可動ミラーを上記第２の位置に移動させたまま上記撮像手段による撮像動作、および上記表示手段による画像表示動作を繰り返す連続撮像動作を実行する連続撮像制御手段と、上記撮像手段で撮像された電子画像における特定領域の平均的な輝度値を検出する輝度検出手段と、上記輝度検出手段によって検出された、連続撮像開始直後の最初の輝度値と、連続撮像動作中の最新の輝度値とを比較し、上記最新の輝度値が上記最初の輝度値よりも適正露光範囲となる値以上に変化しているか否かを判定する比較手段と、上記比較手段によって、上記最新の輝度値が上記最初の輝度値よりも適正露光範囲となる値以上に変化していると判定された場合に、続けて行われる上記撮像手段による撮像動作の露光量を補正する補正手段と、を具備することを特徴とする。
【００１２】
また、オートフォーカス装置をさらに具備し、上記電子画像における特定領域が、上記オートフォーカス装置の測距範囲と一致するようにしたことを特徴とし、さらに、上記輝度検出手段は、上記電子画像における特定領域内の画素からの出力レベルを平均して出力することを特徴とし、また、上記補正手段は、設定された撮影モードに応じて、シャッタスピード、および／または絞りの値を変更することを特徴とする。
【００１３】
さらに、本発明によるデジタル一眼レフカメラは、被写体像を撮像し、デジタル画像データに変換する撮像手段と、被写体を測光する測光手段と、上記測光手段の出力に基づいて、上記撮像手段による撮像動作の際の露光量を演算する演算手段と、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記撮像手段で変換されたデジタル画像データを表示するための表示素子を含み、該表示素子に表示された像が上記ファインダ光学系の観察光路の一部を共用して観察可能となるように配置された表示手段と、上記可動ミラーを上記第２の位置に移動させたまま上記撮像手段による撮像動作、および上記表示手段による画像表示動作を繰り返す連続撮像動作を実行する連続撮像制御手段と、上記撮像手段で撮像された電子画像の一部、または全部における輝度レベルを検出する輝度検出手段と、上記連続撮像動作中において、上記輝度検出手段の出力に応じて、続いて行われる撮像動作における露光量を補正する補正手段と、を具備することを特徴とする。
【００１４】
また、本発明によるデジタル一眼レフカメラは、被写体像を撮像し、デジタル画像データに変換する撮像手段と、被写体を測光する測光手段と、上記測光手段の出力に基づいて、上記撮像手段による撮像動作の際の露光量を演算する演算手段と、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記撮像手段で変換されたデジタル画像データを表示するための表示素子を含み、該表示素子に表示された像が上記ファインダ光学系の観察光路の一部を共用して観察可能となるように配置された表示手段と、上記可動ミラーを上記第２の位置に移動させたまま上記撮像手段による撮像動作、および上記表示手段による画像表示動作を繰り返す連続撮像動作を実行する連続撮像制御手段と、上記連続撮像動作中において、上記撮像手段で撮像された最初の電子画像と最新の電子画像を比較し、両者の輝度レベルが異なっていた場合には、続いて行われる撮像動作における露光量を補正する補正手段と、を具備することを特徴とする。
【００１５】
【発明の実施の形態】
まず、本発明の実施の形態を説明するに先立ち、本発明の適用されるデジタル一眼レフカメラの特徴を説明する。
このデジタル一眼レフカメラは、ＣＣＤ等の撮像素子で被写体像を撮像するカメラであって、このカメラには撮像動作開始を指示するためのレリーズ釦が上記カメラの外装筐体に設けられている。また、撮像モードとして、レリーズ釦を押し続けている間は撮像動作を繰り返す「連続撮像モード（以下、連写モードと称す）」と、レリーズ釦の操作で１回だけ撮像動作を実行する「一枚撮像モード（以下、単写モードと称す）」とを選択可能であり、そのための連写／単写切換釦を備えている。
【００１６】
そして、前記連写／単写切換釦にて「連写モード」が選択された状態でレリーズ釦が操作されている間は、被写体像観察用の可動ミラーを撮像光路外に退避したままにして撮像動作を繰り返すようになっている。したがって、連写中、カメラの操作者は、ファインダ光学系による光学被写体像が確認できないことになるが、このデジタル一眼レフカメラにおいては、撮像した画像を撮像直後にファインダ内に表示するための表示手段を配設し、連写中は、撮影者が光学被写体像に代わって表示手段で電子被写体像を視認するようにしている。
【００１７】
以下、図示の実施の形態によって本発明を説明する。
図１は、本発明の一実施の形態を示すデジタル一眼レフカメラを背面側から見た斜視図である。
図１に示すように、デジタル一眼レフカメラ３００の外装筐体３０１の上面右側端部寄りには、撮像動作の開始を指示するための２段式スイッチで構成されたレリーズ釦３０３が配設されており、上面左方端寄りには、撮影モード設定用のモード釦３０２が配設されている。そして、上記レリーズ釦３０３の左方近傍には、モード釦３０２で、シャッタスピード優先撮影モード（以下、Ｔｖモードと称す）が設定された際、絞り値を変更するための絞り設定釦（以下、Ａｖ設定釦と称す）３０５と、モード釦３０２で、絞り優先撮影モード（以下、Ａｖモードと称す）が設定された際、シャッタスピードを変更するためのシャッタスピード設定釦（以下、Ｔｖ設定釦と称す）３０６が配設されている。また、Ａｖ設定釦３０５，Ｔｖ設定釦３０６の左方近傍には、上記連写モードまたは上記単写モードを設定するための、連写／単写切換釦３０７が配設されている。
【００１８】
上記モード釦３０２は、撮影モードをプログラム撮影モード（以下、Ｐモードと称す）／マニュアル撮影モード（以下、Ｍモードと称す）／Ｔｖモード／Ａｖモードに設定するための釦である。さらに、外装筐体３０１の背面の略中央上部の左方寄りには、ファインダ接眼レンズ３３を有する、被写体像を観察するためのファインダ接眼部３０４が配設されている。
【００１９】
図２は、図１のデジタル一眼レフカメラの電気回路の構成の概略を示すブロック図である。
図２に示すように、デジタル一眼レフカメラ３００は、カメラ全体の動作シーケンスを司るＣＰＵ４１と、ストロボ発光ユニット１と、撮影レンズ鏡筒２０と、可動ミラー２４と、シャッタ２６と、撮像手段としての固体撮像素子２７と、ファインダ３０と、ズーム・ピント駆動回路３４と、絞り駆動回路３５と、ミラー駆動回路３６と、ＡＦセンサ駆動回路３７と、シャッタ駆動回路３８と、焦点検出装置３９と、スイッチ入力手段４２と、ＥＥＰＲＯＭ４３と、信号処理回路４５と、ストロボ制御回路４６と、ＥＰＲＯＭ４７と、ＳＤＲＡＭ４８と、フラッシュメモリ５０とで、その主要部が構成されている。
【００２０】
撮影レンズ鏡筒２０は、正レンズ２１と負レンズ２３で構成され、この正レンズ２１と負レンズ２３の間には、絞り機構２２が配設されている。撮影レンズ鏡筒２０の正レンズ２１と負レンズ２３は、ズーム・ピント駆動回路３４によって駆動制御され、前記絞り機構２２は絞り駆動回路３５によって駆動制御がなされる。
【００２１】
前記正レンズ２１と負レンズ２３の光軸上の前記負レンズ２３の後方には、全体がハーフミラーで形成されている可動ミラー２４が第１の位置であるミラーダウンの位置と第２の位置であるミラーアップの位置とに移動し得るように配設されている。可動ミラー２４は、露光時には、固定軸２４ａの周りに回転しながら第１の位置から焦点板３１に向けてミラーアップの位置である第２の位置に跳ね上がり、撮影光路から待避するようになっている。この可動ミラー２４の中央部分の背面には、サブミラー２５が図中下方に被写体光を反射するように設けられている。
【００２２】
このサブミラー２５の反射光軸の下方には、図中略垂直方向に２つの光学系からなる２像分離のためのセパレータ光学系２８が配設され、また、該セパレータ光学系２８による被写体像の結像位置には、ＡＦセンサ２９が配設され、さらに、このＡＦセンサ２９には、ＡＦセンサ駆動回路３７が接続されている。尚、サブミラー２５、セパレータ光学系２８、及びＡＦセンサ２９は、オートフォーカス装置である焦点検出装置３９を構成している。ＡＦセンサ駆動回路３７は、焦点検出装置３９を介して、公知の位相差法によって、電子画像における特定領域であるＡＦターゲットマーク２０１（図４参照）で規定された被写体の測距領域（範囲）より、被写体の焦点距離を検出する。
【００２３】
ＡＦセンサ２９は、後述するマイクロプロセッサで構成される制御回路（ＣＰＵ）４１からの制御信号によって、ＡＦセンサ駆動回路３７により駆動制御される。ＣＰＵ４１は、このＡＦセンサ２９で生成された２像信号に基づいて２像の間隔（正・負レンズ２１，２３のデフォーカス量に相当する）を求め、合焦位置に撮影レンズ鏡筒２０の正レンズ２１と負レンズ２３を駆動させる駆動量データを演算する。そして、演算生成された駆動量データを基に、ズーム・ピント駆動回路３４を駆動制御して、前記撮影レンズ鏡筒２０の正・負レンズ２１、２３を合焦位置へと駆動する。
【００２４】
ズーム・ピント駆動回路３４は、既知の電磁モータ、超音波モータ等の駆動源や、これらの駆動源を制御するためのドライバ回路や、レンズの位置を検出するためのエンコーダ装置等が含まれて構成されている。特に、レンズ位置を検出するためのエンコーダは、レンズ位置に応じて被写体距離、およびズーム焦点距離をそれぞれ独立して出力するエンコーダ装置で、鏡枠の外表面に設けられた金属パターン上を接片ブラシが摺動するタイプの接触式エンコーダである。また、撮影レンズ鏡筒２０の外表面に白黒パターンを配置し、その白黒パターンをフォトリフレクタで検出する非接触式エンコーダを用いても良く、撮影レンズ鏡筒２０の基準位置からの駆動量を測定して絶対位置を検出する、所謂絶対距離エンコーダであっても良い。
【００２５】
可動ミラー２４の反射光路上には、焦点板（フォーカシングスクリーン）３１、ペンタプリズム３２、及びファインダ接眼レンズ３３で構成されるファインダ光学系が配設されている。尚、このファインダ光学系に、後述するＬＣＤモニタ８、プリズム５４、ターゲットレンズ５５、測光手段である測光センサ５６を追加したものがファインダ装置（以下、ファインダと称す）３０を構成している。撮影レンズ鏡筒２０の正レンズ２１と負レンズ２３で得られた被写体光は、可動ミラー２４で反射されて、焦点板３１に結像される。撮影者は、この焦点板３１に結像された光学被写体像をペンタプリズム３２とファインダ接眼レンズ３３を介して観察光軸より視認する。尚、焦点板３１のペンタプリズム３２側の面には、後述する図４で示すＡＦターゲットマーク２０１が罫書かれて（または刻印されて）いる。
【００２６】
測光センサ５６は、ターゲットレンズ５５を介して焦点板３１に結像された光学被写体像の輝度を測光するための、例えば受光面がフォトダイオードで形成されたセンサであり、ファインダ３０内の、ファインダ接眼レンズ３３の観察光軸から偏心した測光軸上の位置にターゲットレンズ５５とともに配設されている。ＣＰＵ４１は、この測光センサ５６からの出力に応じて、例えば所定の加重平均演算を施すことにより、固体撮像素子２７による撮像動作の際の露光量を演算する。従って、ＣＰＵ４１は、演算手段を構成している。
【００２７】
撮影レンズ鏡筒２０の正レンズ２１と負レンズ２３の光軸上の可動ミラー２４の後方には、シャッタ２６とＣＣＤやＣＭＯＳイメージャ等の撮像手段である固体撮像素子（以下、撮像素子と称す）２７が配設されている。
【００２８】
シャッタ２６は、シャッタ駆動回路３８によって所定秒時開放して、被写体像を撮像素子２７の図示しない受光面に結像させるものである。つまり、可動ミラー２４がミラー駆動回路３６の駆動の基で、正負レンズ２１，２３の光軸上から退避するために第２の位置に上昇し、シャッタ２６がシャッタ駆動回路３８の駆動制御の基で開状態となると、撮像素子２７の受光面上に被写体像が結像され、撮像動作が行われる。尚、前記連写／単写設定釦３０７により連写モードが設定された際には、可動ミラー２４が第２の位置に上昇（移動）したままで、撮像素子２７による撮像動作が連続的に行われる。
【００２９】
ズーム・ピント駆動回路３４、絞り駆動回路３５、ミラー駆動回路３６、ＡＦセンサ駆動回路３７、シャッタ駆動回路３８は、マイクロプロセッサで構成されるＣＰＵ４１にデータバス５２で接続されている。また、ＣＰＵ４１には、データバス５２を介して、スイッチ入力手段４２と不揮発性メモリであるＥＥＰＲＯＭ４３が接続されている。
【００３０】
スイッチ入力手段４２は、カメラのレリーズ釦３０３（図１参照）の半押し操作に連動してオンする第１レリーズスイッチ、同釦の深押し操作に連動してオンする第２レリーズスイッチ、カメラ内のパワースイッチに連動するスイッチ、単写モードと連写モードを切り換えるための連写／単写切換釦３０７に連動するスイッチ、撮影モードを設定するためのカメラのモード釦３０２（図１参照）に連動するモードスイッチ等（いずれも不図示）の複数のスイッチから構成されており、このスイッチ入力手段４２のいずれかのスイッチ操作に基づく操作信号をＣＰＵ４１に供給する。
【００３１】
また、ＥＥＰＲＯＭ４３は、不揮発性の半導体メモリで、工場においてカメラ個々のばらつきを抑えて出荷するのに必要なカメラ毎の調整値、および測光センサ５６からの出力により、ＣＰＵ４１がバックライト８ｂの光量を規定するための係数が格納されている。
【００３２】
ＣＰＵ４１は、第１レリーズスイッチがオンになるとＡＦセンサ駆動回路３７を駆動制御して、ＡＦセンサ２９上に結像された電子被写体像（電子画像）の後述する図４に示すＡＦターゲットマーク２０１で規定された測距領域より、２像間の距離を演算し、その距離データからズーム・ピント駆動回路３４を駆動制御して、撮影レンズ鏡筒２０の正レンズ２１と負レンズ２３の焦点調整を行う。
【００３３】
また、ＣＰＵ４１は、前記第２レリーズスイッチがオンになると、ミラー駆動回路３６を駆動制御して、可動ミラー２４を光軸上から第２の位置に退避移動させると共に、測光センサ５６の出力に基づく被写体輝度情報を基に、適正絞り値とシャッタスピードを求め、この求めた前記絞り値で絞り駆動回路３５を介して絞り機構２２を駆動し、前記シャッタスピードで前記シャッタ駆動回路３８を介してシャッタ２６を駆動させる。また、ＥＥＰＲＯＭ４３に格納された上記係数を参照して、ＬＣＤモニタ８のバックライト８ｂに供給する電流量（光量）を決定する。さらに、後述する信号処理回路４５のＣＰＵ１００（図３参照）から入力された連続撮像開始直後の最初の輝度値と連続撮像動作中の最新の輝度値とを比較することにより、該最新の輝度値が上記最初の輝度値よりも適正露光範囲となる値以上に変化しているか否かを判定する。輝度値が変化しておれば、ＣＰＵ４１は、続けて行われる固体撮像素子２７による撮像動作の露光量を補正するため、絞り駆動回路３５を介して絞り機構２２の値を変更し、シャッタ駆動回路３８を介してシャッタ２６のシャッタスピードを変更する。従って、ＣＰＵ４１は、連続撮像制御手段、及び比較手段、並びに補正手段を構成している。
【００３４】
シャッタ２６の開動作によって被写体像が撮像素子２７の受光面上に結像すると、この被写体像はアナログ映像信号に変換され、さらに、信号処理回路４５においてデジタル映像信号に変換される。
【００３５】
信号処理回路４５は、後に図３で詳細に説明するが、内部にＲＩＳＣプロセッサ、カラーブロセッサ、ＪＰＥＧプロセッサを含み、前記デジタル映像信号の圧縮・伸張処理、ホワイト・バランス処理、エッジ強調処理等の画像処理や後述するＬＣＤモニタ８に出力されるコンポジット信号（輝度信号、色差信号）への変換処理等を行う。
【００３６】
また、ＣＰＵ４１と信号処理回路４５は、通信ライン５３で接続されており、映像信号の取り込みタイミング等の制御信号やデータの送受が通信ライン５３を介して行われるようになっている。
【００３７】
信号処理回路４５で生成されたコンポジット信号は、ファインダ３０内における表示手段であるＬＣＤモニタ８に出力されて電子被写体像が表示される。このＬＣＤモニタ８は、ペンタプリズム３２の第３反射面３２ａの外側に配設されている。このＬＣＤモニタ８は、画像を表示するための表示素子であるＬＣＤ（液晶表示素子）８ａと、該ＬＣＤ８ａの表示面を後方から照明するための、例えば白色ＬＥＤのバックライト８ｂを有して構成されている。尚、スイッチ入力手段４２の連写／単写設定釦３０７により連写モードが設定された際には、可動ミラー２４が第２の位置に上昇（移動）したままで、ＬＣＤモニタ８による画像表示動作が連続的に行われる。
【００３８】
ペンタプリズム３２の第３反射面３２ａは、ハーフミラーになっており、ＬＣＤモニタ８との間には、凸レンズ面５４ａを含むプリズム５４が配設されている。このＬＣＤモニタ８のＬＣＤ８ａは、凸レンズ面５４ａにより焦点板３１と光学的等価に位置されている。そして、可動ミラー２４を第１の位置から第２の位置に上昇させて光学的な観察光路を遮断した状態においては、ＬＣＤモニタ８に表示された画像を観察可能である。尚、ＬＣＤ８ａに表示された画像の明るさは、バックライト８ｂの白色ＬＥＤの電流供給量を変化させることで、調整することができる。
【００３９】
信号処理回路４５は、データバス５１を介して、ＥＰＲＯＭ４７，ＳＤＲＡＭ（シンクロナスダイナミックランダムアクセスメモリ）４８，及びフラッシュメモリ５０に接続されている。
【００４０】
ＥＰＲＯＭ４７には、信号処理回路４５に含まれるプロセッサで処理されるプログラムが格納されている。また、信号処理回路４５のＣＰＵ１００（図３参照）から入力された連続撮像開始直後の最初の輝度値と、連続撮像動作中の最新の輝度値とを比較し、該最新の輝度値が上記最初の輝度値よりも適正露光範囲となる値以上に変化しているか否かを判定するための基準値となる所定値αが記憶されており、さらに、上記最新の輝度値が上記最初の輝度値よりも適正露光範囲となる値以上に変化している場合に、各撮影モードに応じてシャッタスピード、および／または絞りの値を変更するための補正テーブル（Ｔｖ補正テーブル／Ａｖ補正テーブル）も記憶されている。
【００４１】
ＳＤＲＡＭ４８は、画像処理前の画像データや画像処理中の画像データを一時的に記憶するメモリである。よって後述するが、連写モードを設定した場合には、連続撮像された画像データは一時的にＳＤＲＡＭ４８に記憶される。フラッシュメモリ５０は、最終的に確定された画像データを記憶する不揮発性のメモリである。ここで、ＳＤＲＡＭ４８は、揮発性の一時的記憶手段で、高速動作することができるが電源供給が停止されると記憶内容が消滅するものである。一方、フラッシュメモリ５０は、不揮発性記憶手段であり、低速だがカメラの電源がオフされても記憶内容が保存される。よって連続撮像終了後は、ＳＤＲＡＭ４８に記憶された画像データは、順次フラッシュメモリ５０に記憶される。
【００４２】
次に、ストロボ発光ユニット１について説明する。ストロボ発光ユニット１は、発光パネル３と反射傘１８と発光放電管１９とトリガ回路４４とを有しており、トリガ回路４４から出力されるトリガ信号によって、発光放電管１９内に封止されているキセノンガスが励起されて発光し、その光は反射傘１８で反射され、さらに発光パネル３を通過して被写体に向けて照射される。尚、トリガ回路４４、発光放電管１９、反射傘１８、発光パネル３は、図示しないが、例えばカメラ本体からポッブアッブするように構成されている。トリガ回路４４は、ストロボ制御回路４６に接続されている。ストロボ制御回路４６は、ＣＰＵ４１の制御の基で、図示しないストロボ用メインコンデンサの充電処理及びトリガ回路４４への発光指示を制御する。
【００４３】
図３は、図２における信号処理回路４５の電気回路の構成の概略とそれに接続される周辺回路を示したブロック図である。
【００４４】
この信号処理回路４５には、信号処理動作を制御する制御回路としてのＣＰＵ１００と、このＣＰＵ１００に接続され、ＣＰＵ１００からの制御信号に従って動作する複数の回路が含まれている。また、ＣＰＵ１００は、上述した図２に示したように、通信ライン５３にてカメラシーケンス制御用のＣＰＵ４１と接続されており、ＣＰＵ４１から送信された制御信号に基づいて信号処理回路４５内の各回路を制御する。また、後述する輝度検出回路１０８から出力された電子画像の輝度値をＣＰＵ４１に出力する。
【００４５】
第１の画像処理回路１０１は、ＣＰＵ１００で設定された駆動条件にしたがって撮像素子２７を駆動し、撮像素子２７が出力したアナログ映像信号をＡ／Ｄ変換して電子画像のデジタル映像信号を生成する前段処理回路である。また、撮像素子２７の遮光部分の画素信号に基づいて、上記デジタル映像信号の補正を行う。
【００４６】
間引き・抽出処理回路１０２は、第１の画像処理回路１０１から出力された上記デジタル映像信号を間引き処理（解像度を低下させる処理）して、第２の画像処理回路１０６，第３の画像処理回路１０３に出力する。また、第１の画像処理回路１０１から出力された上記デジタル映像信号の、図４に示すＡＦターゲットマーク２０１の範囲内のデータを抽出して、該抽出した画像データを、輝度検出回路１０８に出力する。尚、ＡＦターゲットマーク２０１は、連写前の光学式ファインダの状態で、後述する図４に示すように、撮影者がファインダ接眼部３０４から視認できるものであり、通常は、主要被写体の合焦動作の際に用いられる。また、第３の画像処理回路１０３に出力する上記デジタル映像信号は、連写モードで撮影した際に、ＬＣＤモニタ８に表示される電子被写体像の信号である。
【００４７】
ここで、第２の画像処理回路１０６に出力する上記デジタル映像信号の間引きの度合いは、ユーザが設定した解像度に応じてＣＰＵ１００にて指示される。また、第３の画像処理回路１０３に出力するデジタル映像信号の間引きの度合いは、画像表示に適した解像度に応じてＣＰＵ１００にて指示される。また、間引き・抽出処理回路１０２は、上記デジタル映像信号の一部を抽出してホワイトバランス処理回路（以下、ＷＢ処理回路）１０５に出力する。抽出の方法はＣＰＵ１００が指示する。
【００４８】
ＷＢ処理回路１０５は、画像の色バランス（ホワイトバランス）を調整するためのホワイトバランス情報（ＷＢ情報）を出力する回路であって、このＷＢ情報は第３の画像処理回路１０３にはダイレクトに送られ、第２の画像処理回路１０６にはＣＰＵ１００を経由して送られる。
【００４９】
第３の画像処理回路１０３は、ＬＣＤモニタ８の表示用画像を生成する回路であって、上記デジタル映像信号に、γ補正，データビット数の削減，ＷＢ情報に基づく色調整，ＲＧＢ信号からＹＣｂＣｒ信号ヘの変換等の公知の処理を行う簡易後段処理回路である。一般的に、ＬＣＤモニタ８に撮像画像を繰り返し表示するためには、ソフトウェアによる処理では速度が間に合わないことが多い。したがって、表示のための画像処理はすべて、この第３の画像処理回路１０３にてハードウェア的に処理されるようになっている。
【００５０】
ビデオ・デコーダ１０４は、上記デジタル映像信号のＹＣｂＣｒ信号をＮＴＳＣ信号に変換して上記電子被写体像を形成し、該電子被写体像をＬＣＤモニタ８のＬＣＤ８ａに表示させる。
【００５１】
第２の画像処理回路１０６は、フラッシュメモリ５０に記憶するための上記デジタル映像信号を生成する回路で、γ補正，上記デジタル映像信号のデータビット数の削減，ＷＢ情報に基づく色調整，ＲＧＢ信号からＹＣｂＣｒ信号への変換，撮像素子２７の欠陥画素補正，スミア補正，色相や色度等の公知の処理を行う後段処理回路である。
【００５２】
ＪＰＥＧ圧縮／伸張処理回路１０７は、第２の画像処理回路１０６で処理された上記デジタル映像信号をフラッシュメモリ５０に記憶する際にＪＰＥＧ圧縮する、または、フラッシュメモリ５０に記憶されたＪＰＥＧ画像を読み出して伸張するための回路である。
【００５３】
輝度検出手段である輝度検出回路１０８は、間引き・抽出処理回路１０２から出力された電子画像データにおける特定領域（一部の領域）であるＡＦターゲットマーク２０１内の範囲から、画像情報を抽出し、画面内の輝度値に相当する各画素の出力レベルの平均値（平均的な輝度レベル）を求め、その値を被写体の輝度値として、ＣＰＵ１００に出力する。尚、特定領域であるＡＦターゲットマーク２０１内の範囲は、上述したように、オートフォーカス装置である焦点検出装置３９の測距範囲と一致している。
【００５４】
次に、図５を用いて、ＣＰＵ４１の動作シーケンスを説明する。
図５は、図２のデジタル一眼レフカメラで、スイッチ入力手段４２の上記レリーズ釦３０３（図１参照）を半押し操作（第１レリーズオン操作）した後に実行される撮像動作を示したフローチャート、図６は、図５の輝度変化判定の処理を示したフローチャートである。図５のフローチャートは、ＣＰＵ４１のメインフローチャート内にてコールされるサブルーチンである。尚、ＣＰＵ４１のメインフローチャートは、従来公知の技術であるので、ここでの説明は省略する。
【００５５】
ステップＳ１では、ターゲットレンズ５５を介して測光センサ５６を駆動制御して、図４に示す電子画像の特定領域であるＡＦターゲットマーク２０１で規定された領域（範囲）より、測光を行い、その測光センサ５６の出力を用いて被写体の輝度情報を測定する。そして、その輝度情報から露光量（絞り機構２２の絞り込み量、および、シャッタ２６のシャッタスピード）を所定の演算ブログラムにしたがって演算し、その後、ステップＳ２に移行する。
【００５６】
ステップＳ２では、ＡＦセンサ駆動回路３７を介してＡＦセンサ２９を駆動制御して、撮像レンズ２１，２３のデフォーカス量を測定する。そして、その測距値に基づき、撮像レンズ２１，２３の合焦動作を行って、ステップＳ３に移行する。
【００５７】
ステップＳ３では、カメラ操作者がスイッチ入力手段４２の上記レリーズ釦を深押ししているか否かを、第２レリーズスイッチがオンしているか否かで判定する。第２レリーズスイッチがオンしてなければステップＳ１９に分岐する。
【００５８】
ステップＳ１９では、カメラ操作者が上記レリーズ釦を半押ししているか否かを第１レリーズスイッチがオンしているか否かによって判定する。第１レリーズスイッチがオンしておれば、レリーズ釦は半押しされていると判断し、ステップＳ３へ戻る。一方、第１レリーズスイッチがオンでなければ、カメラ操作者はレリーズ釦から指を離したと考えられるので、そのままメインフローにリターンする。
【００５９】
ステップＳ３に戻って、第２レリーズスイッチがオンしておれば上記レリーズ釦は深押しされていると判断してステップＳ４に移行し、該ステップＳ４では、ミラー駆動回路３６を介して可動ミラー２４を第１の位置から第２の位置である撮像光路外へ退避させて（ミラーアップ）、ステップＳ５に移行する。
【００６０】
ステップＳ５では、スイッチ入力手段４２の連写／単写切換釦３０７（図１参照）により、連写モードが設定されているか否かを判定する。連写モードが設定されておれば、ステップＳ６に移行する。
【００６１】
ステップＳ６では、ステップＳ１にて演算された絞り込み量に基づいて、絞り駆動回路３５を介して、絞り機構２２の絞り込み動作を行う。また、ここでスイッチ入力手段４２の上記モード釦３０２（図１参照）により、Ｔｖモード、またはＰモードが設定され、後述する図６のステップＳ３７、またはステップＳ３６を経た場合は、ステップＳ３８で演算した適正露光量補正に基づいて、絞り機構２２の絞り込み動作を行う。その後、ステップＳ７に移行する。
【００６２】
ステップＳ７では、ＣＰＵ４１は、信号処理回路４５に対して、連続撮像開始を指示する信号を送出する。信号処理回路４５は、この信号を受けて撮像素子２７の撮像動作（積分動作）を開始させ、その後ステップＳ８に移行する。
【００６３】
ステップＳ８では、ステップＳ１で演算したシャッタスピード（シャッタ２６の開閉時間）に基づき、シャッタ２６を開閉する。また、ここでスイッチ入力手段４２の上記モード釦３０２（図１参照）により、Ａｖモード、またはＰモードが設定され、後述する図６のステップＳ３５、またはステップＳ３６を経た場合は、ステップＳ３８で演算した適正露光量補正に基づいて、シャッタ２６の開閉動作を行う。その後、ステップＳ９に移行する。
【００６４】
ステップＳ９では、シャッタ２６を閉成した後、信号処理回路４５に１枚の撮像の停止を指示する信号を送出する。信号処理回路４５は、この信号を受けて撮像素子２７での積分動作を終了させるとともに、撮像素子２７から映像信号を読み出し、上述した上記デジタル映像信号に変換する処理、および、それに付随する画像処理、また上述したように、間引き・抽出処理回路１０２（図３参照）から出力された上記電子画像のデジタル映像信号の、ＡＦターゲットマーク２０１（図４参照）内のデータを抽出して、該抽出した画像データを、輝度検出回路１０８に出力する処理を実行し、ステップＳ１０に移行する。
【００６５】
ステップＳ１０では、ＣＰＵ４１は信号処理回路４５に対して、上記デジタル映像信号の格納と表示を指示する制御信号を送出する。信号処理回路４５は、この信号を受けて上記デジタル映像信号を一時的にＳＤＲＡＭ４８の連写データ蓄積領域に順番に格納させるとともに、同データをコンポジット信号（輝度信号、色差信号）へ変換処理する。そして、このコンポジット信号をＬＣＤモニタ８へ供給して、ＬＣＤ８ａに撮像した電子被写体像を表示する。その後、ステップＳ１１に移行する。
【００６６】
ステップＳ１１では、ステップＳ９で間引き・抽出処理回路１０２（図３参照）から出力された上記デジタル映像信号より抽出した画像データから輝度変化判定を行って、ステップＳ１２に移行する。上記輝度変化判定は、詳しくは、図６に示すように、まず、ステップＳ２９において、輝度検出回路１０８は、間引き・抽出処理回路１０２から出力された上記デジタル映像信号の、ＡＦターゲットマーク２０１（図４参照）内より抽出された画像データを読み込んでステップＳ３０に移行する。
【００６７】
ステップＳ３０では、輝度検出回路１０８は、間引き・抽出処理回路１０２から出力されたＡＦターゲットマーク２０１内の画像データから、画像情報を抽出し、画面内の輝度値に相当する各画素の出力レベルの平均値を求め、その値を被写体の輝度値として、ＣＰＵ１００に出力し、その後、ステップＳ３１に移行する。
【００６８】
ステップＳ３１では、出力された画像データの輝度値が１回目（最初）に撮像された値であるか否かを判定する。１回目の輝度値であれば、絞り機構２２およびシャッタ２６による露光量は適正であるから、輝度変化判定を行わずに、ステップＳ３９に分岐し、該ステップＳ３９では、１回目の画像データの輝度値をＣＰＵ４１（図２参照）の内部レジスタのＢＶＲ１に記憶させて、その後リターンする。
【００６９】
ステップＳ３１に戻って、出力された画像データの輝度値が１回目に撮像された値でなければ、ステップＳ３２に移行し、該ステップＳ３２では、ｎ回目（最新）の画像データの輝度値をＣＰＵ４１（図２参照）の内部レジスタのＢＶＲ２に記憶させてステップＳ３３に移行する。
【００７０】
ステップＳ３３では、ＣＰＵ４１は、ステップＳ３２でＢＶＲ２に記憶した輝度値と、ステップＳ３９でＢＶＲ１に記憶した輝度値の絶対値の差を算出して、この絶対値の差が、ＥＰＲＯＭ４７（図３参照）に記憶された上記所定値α以上であるか否かを判定する。尚、この所定値αは、上述したように、最新の（ｎ回目の）輝度値が上記最初の（１回目の）輝度値よりも適正露光範囲となる値以上に変化しているか否かを判定するための基準値であり、設計値である。この絶対値の差が所定値α以上であれば、連続撮像動作中の最新の画像データは、連続撮像動作の最初に撮像された画像データよりも輝度差が大きくなり、不適正となっていると判断して、ステップＳ３４に移行する。
【００７１】
ステップＳ３４では、ＣＰＵ４１は、モード釦（図１参照）で設定した撮影モードを判定する。Ａｖモードが設定されておれば、ステップＳ３５に移行して、ＢＶＲ２とＢＶＲ１の差に基づいてＴｖ補正のテーブルを参照し、ステップＳ３８に移行する。または、Ｐモードが設定されておれば、ステップＳ３６に移行して、ＢＶＲ２とＢＶＲ１の差に基づいてＴｖ補正のテーブルおよびＡｖ補正のテーブルを参照し、ステップＳ３８に移行する。若しくは、Ｔｖモードが設定されておれば、ステップＳ３７に移行して、ＢＶＲ２とＢＶＲ１の差に基づいてＡｖ補正のテーブルを参照し、ステップＳ３８に移行する。
【００７２】
ステップＳ３８では、ステップＳ３５、またはステップＳ３６、若しくはステップＳ３７で得られた補正値に基づいて、ＣＰＵ４１は、露光量補正演算を行って、その後リターンする。
【００７３】
ステップＳ３３に戻って、一方、絶対値の差が所定値α未満であれば、連続撮像動作中の最新の画像データは、輝度が変化していないと判定されて、その後、リターンする。
【００７４】
図５に戻って、ステップＳ１２では、撮影者が第２レリーズスイッチをオフしたか否かをチェックし、オフであればカメラ操作者が連写を終了させようとしていると判断してステップＳ１３に移行する。一方、オフでなければ、ステップＳ６に戻り、第２レリーズスイッチがオフになるまでステップＳ６〜ステップＳ１２までを繰り返す。つまり、この時点で第２レリーズスイッチがオフでなければ、ピントのずれは関係なく連写は継続され、ファインダ３０内には直前に撮像した電子被写体像が動画のように順次表示されることになる。
【００７５】
ステップＳ１３では、信号処理回路４５に対し、表示終了を指示する信号を出力する。信号処理回路４５は、この信号を受けてＬＣＤ８ａの表示を中止するとともに、バックライト８ｂを消灯させ、ステップＳ１４に移行する。
【００７６】
ステップＳ１４では、絞り駆動回路３５を介して絞り機構２２を絞り込み状態から開放状態に戻してステップＳ１５に移行し、該ステップＳ１５では、ミラー駆動回路３６を介して可動ミラー２４を第１の位置である撮像光路内へ復帰させて（ミラーダウン）ステップＳ１６に移行し、さらにステップＳ１６では、信号処理回路４５に対し、上述したようにＳＤＲＡＭ４８に一時的に記憶されている連写画像をフラッシュメモリ５０の所定の記憶領域に記憶するよう指示し、その後リターンする。尚、この際、撮像された画像の容量によっては、ＪＰＥＧ圧縮／伸張処理回路１０７（図３参照）により、ＪＰＥＧ圧縮してからフラッシュメモリ５０に記憶しても良い。
【００７７】
ステップＳ５に戻って、スイッチ入力手段４２の連写／単写切換釦３０７（図１参照）により、連写モードが設定されていなければ、ステップＳ２１に分岐し、該ステップＳ２１では、単写モードでの撮像動作を実行する。まず、ステップＳ１にて演算された絞り込み量に基づいて絞り駆動回路３５を介して絞り機構２２を絞り込み、ステップＳ２２に移行する。
【００７８】
ステップＳ２２では、信号処理回路４５に対して、撮像開始を指示する信号を送出する。信号処理回路４５は、この信号を受けて撮像素子２７の撮像動作（積分動作）を開始させ、ステップＳ２３に移行する。
【００７９】
ステップＳ２３では、ステップＳ１で演算したシャッタスピード（シャッタ２６の開閉時間）に基づき、シャッタ２６を開閉して、ステップＳ２４に移行する。
【００８０】
ステップＳ２４では、シャッタ２６を閉じた後、信号処理回路４５に撮像停止を指示する信号を送出する。信号処理回路４５は、この信号を受けて撮像素子２７の積分動作を終了させるとともに、撮像素子２７から映像信号を読み出し、デジタル映像信号に変換する処理、および、それに付随する画像処理を実行する。
【００８１】
ステップＳ２５では、ＣＰＵ４１は、信号処理回路４５に対して、デジタル映像信号の格納を指示する制御信号を送出する。単写モードにおいては、連写モード時のようにデジタル映像信号を一時的にＳＤＲＡＭ４８に格納する必要はないので、信号処理回路４５は、この制御信号を受けてデジタル映像信号をフラッシュメモリ５０の所定の記憶領域に記憶する。尚、単写モードの際は、連写モード時のようなファインダ３０内での電子被写体像の表示は行わない。その後、ステップＳ２６に移行する。
【００８２】
ステップＳ２６では、絞り駆動回路３５を介して絞り機構２２を絞り込み状態から開放状態に戻してステップＳ２７に移行し、該ステップＳ２７では、ミラー駆動回路３６を介して可動ミラー２４を第１の位置である撮像光路内へ復帰させて（ミラーダウン）ステップＳ２８に移行する。
【００８３】
ステップＳ２８では、第１レリーズスイッチがオフであるか否かをチェックし、オフでなければ、このチェックを繰り返す。これは、単写モードにおいてはカメラ操作者がレリーズ釦から指を離すまで次の撮像動作が行われないようにするためである。オフになればメインルーチンにリターンする。
【００８４】
このように、本発明の一実施形態を示すデジタル一眼レフカメラ３００においては、連続撮像の最中に、被写体が移動することにより発生する輝度変化を、連続撮像開始直後の最初の輝度値と連続撮像動作中の最新の輝度値の絶対値の差を求め、この絶対値の差が適正露光範囲となる値以上に変化しているか否かを判定するための基準値である所定値αよりも大きい場合は、撮像された電子画像の露光量が露光オーバまたは露光アンダであると判断し、ＣＰＵ４１は、露光補正演算を行って、続けて行われる固体撮像素子２７による撮像動作の露光量を、絞り機構の絞り値、および／またはシャッタユニットのシャッタスピードを変化させることで補正するようにした。
【００８５】
よって、連写中は、被写体輝度が適正露光範囲となる値以上に変化すると、自動的に露出補正が行われるため、露光不良写真が記録させることを防止することができる。
【００８６】
尚、上記実施形態においては、連写中の被写体輝度変化をＡＦターゲット領域内で検出しているが、その検出領域はこれに限るものではなく、回路規模や処理速度の問題が無ければ、画面全体の輝度分布を検出して輝度変化を検出するようにしても良い。
【００８７】
輝度分布を検出する方法としては、撮影画面を複数のブロックに分割し、そのブロック毎に１枚目の画像と最新の画像を比較する方法が最も一般的であるが、その他にも水平画素列と垂直画素列の総和を求めて比較する方法等も有効である。つまり、重要なことは、連写中の撮影画面の全体的な輝度レベルが変化したか否かを検出することであり、それが可能であればＡＦターゲット領域等の画面内の特定領域でなくともよいということである。
【００８８】
このようにすれば、２枚目以降の撮影時に被写体がＡＦターゲット領域をはずれた場合であっても適正露光量の補正が可能であるという利点がある。
【００８９】
【発明の効果】
以上、述べたように本発明によれば、連続撮像の最中に、露光量が適正露光量からずれるのを防止することができ、撮影者にとって使い勝手の良いデジタル一眼レフカメラを提供することができる。
【図面の簡単な説明】
【図１】本発明の一実施の形態を示すデジタル一眼レフカメラを背面側から見た斜視図、
【図２】図１中のデジタル一眼レフカメラの電気回路の構成の概略を示すブロック図、
【図３】図２中の信号処理回路の電気回路の構成の概略とそれに接続される周辺回路を示したブロック図、
【図４】図２中の固体撮像素子で撮像された電子画像の特定領域を示した撮像画像図、
【図５】図２中のスイッチ入力手段のレリーズ釦を半押し操作した後に実行される撮像動作を示したフローチャート、
【図６】図５中の輝度変化判定の処理を示したフローチャート。
【符号の説明】
８…ＬＣＤモニタ（表示手段）
８ａ…ＬＣＤ（表示素子）
２４…可動ミラー
２７…固体撮像素子（撮像手段）
３０…ファインダ（ファインダ光学系）
３１…焦点板（ファインダ光学系）
３２…ペンタプリズム（ファインダ光学系）
３３…ファインダ接眼レンズ（ファインダ光学系）
３７…ＡＦセンサ駆動回路（オートフォーカス装置）
３９…焦点検出装置（オートフォーカス装置）
４１…ＣＰＵ（連続撮像制御手段）（比較手段）（演算手段）（補正手段）
５６…測光センサ（測光手段）
１０８…輝度検出回路（輝度検出手段）
２０１…ＡＦターゲットマーク（電子画像の特定領域）（測距範囲）
３００…デジタル一眼レフカメラ
３０４…ファインダ接眼部
α…所定値
【図１】
2005024857.tif 000003
【図２】
2005024857.tif 000004
【図３】
2005024857.tif 000005
【図４】
2005024857.tif 000006
【図５】
2005024857.tif 000007
【図６】
2005024857.tif 000008